(57)【特許請求の範囲】
【請求項１】
網を有し魚雷に絡み付いて爆発する機雷であって、 該機雷は網に取着され固着していており、 該網に備え付けられた機雷はスクリューを利用して網を開くき、 該機雷は速度感知装置を内蔵し、 
該複数の機雷が網に取着され固着しており、 
互いに引き合う磁力により連結されて収容空間を形成する複数のパーツを有し、前記収容空間に、
網を有し魚雷に絡み付いて爆発する機雷であって、 該機雷は網に取着され固着していており、該網に備え付けられた機雷はスクリューを利用して開く網を収容するケースと、
前記収容空間に前記網と、前記複数の機雷と、前記網に備え付けられた機雷はスクリューを利用して網を開くものを
収容した状態の前記ケースが水中に射出された後、前記複数のパーツを連結している磁力の極性を切り替えて、互いに反発し合う磁力により前記複数のパーツを分離させるスイッチとを備え、
前記ケースは、前記スイッチによる極性の切り替えに伴い、開いて、収容している前記網と、前記複数の機雷と、前記網に備え付けられた機雷はスクリューを利用して網を開くものを水中に解き放つ事を特徴とした魚雷防御システム。
【発明の詳細な説明】
【技術分野】
【０００１】
本発明は、魚雷からの防御に関するものである。
【背景技術】
【０００２】
現在では船舶が、自身を魚雷から守る防御手段は無かった。
【発明の開示】
【発明が解決しようとする課題】
【０００３】
船舶が自身が搭載する手段で、魚雷から自身を守らせる。
【０００４】
本発明は以上のような状況に鑑みてなされたものであって、その目的とするところは、
船舶等が備えるソナーで感知した情報に基づき、機雷を移動して魚雷に絡み付いて爆発する網を魚雷の進行方向前で水面下で開く。
【課題を解決するための手段】
【０００５】
本発明の目的は、魚雷の動きを船、船と機雷、若しくは、機雷に備え付けられたソナーが感知した情報に基づき、機雷を取着され固着した網で魚雷に絡み付いて爆発し、前記網を魚雷の進行方向前で水面下で開き、必要に応じては網全体を水面下でスクリュー、又は、推進装置を利用して移動する事を特徴とした機雷を提供する事に有る。
【０００６】
ようするに、網は少なくともソナーを有する事により魚雷の進行方向、及び、その位置を予測でき移動できるために前記の目的を達成し易くなる。そして、機雷は網に取着され固着していており、 該機雷は内部にソナーを有する事により、機雷内部の装置とソナーの距離が短くなるために、それぞれの機構が故障しにくく、より早い反応を得ることが出来る。
【０００７】
又、本発明は前記網を有し魚雷に絡み付いて爆発する機雷であって、 該機雷は網に取着され固着しており、該前記網は水面下でスクリュー、又は、推進装置を利用して開く事を特徴とした機雷にする。  尚、前記網は水面下でスクリュー、又は、推進装置を利用して移動する事を特徴とした機雷にしても良い。
【０００８】
そして、前記網を有する機雷は、複数の機雷が網に取着され固着している事を特徴とした機雷にする。そして、複数の機雷は、機雷同士が連絡し合う連絡手段を装備する事により互いの状況を理解し合い、機雷は状況によっては爆発の指令を出して爆発する。
【０００９】
又、前記網に備え付けられた機雷は低周波発生装置、又は、電磁波発生装置が備えられた事を特徴とする機雷にする事により、各々の機雷が連絡手段を装備する事により連絡しあい、それぞれの位置情報、その他の情報を認識出来る。又、前記網に備え付けられた機雷はコンピューター、若しくは電子計算機を内蔵する事によりにより、ソナー、低周波発生装置、電磁波発生装置等の機器にる情報を効率的な位置等を計算し、効率的な位置に移動して網を開き魚雷に絡む事ができる。前記各装置は連絡しあい、連動する。
【００１０】
又、 複数の機雷は水深が深いほど比重を大きくする事により、水の中にその網を投げ入れた場合、網が絡みづらくなり、位置安定度が増した。
そして、機雷に水深計を内蔵させる事によりそれぞれの機雷位置を認識できた。
【００１１】
そして、前記網は少なくとも機雷２を３個以上有する事により、より確実に魚雷を破壊する。
【００１２】
少なくとも爆弾を防水手段を装備した機雷に入れられ、該前記網は魚雷に絡み付くように開く事を特徴とした防御システムを提供する事に有る。
【００１３】
又、本発明は、その機雷を３個以上備え着けられた網を魚雷進行方向前方に投与し、 該前記網は魚雷に絡み付くように開く事を特徴とした防御システムを提供する事に有る。
【００１４】
そして前記網は魚雷進行方向に対して入射角度が３０度以上あるように開く事を特徴とした防御システム。
【００１５】
そして備え付けられた前記爆弾は各々の距離が近づくと爆発する事を特徴とした前記記載の防御システム。
【００１６】
機雷はタイマーを備え付け内蔵する事により、備え付けられた爆弾が設定時間が来ると無力化する様に設定でき事を特徴とした前記記載の防御システムにする事で、投げ入れた機雷が必要な時間を過ぎて爆発し無くした為、他の船舶等に危害を加えなくなり、安全を確保できた。
【００１７】
又、機雷は内部に電池を有する事を特徴とする事により、各機関を作動し安くした。    そして、機雷はアンテナを有する事により、外からの情報を得やすくなり、機雷同士連絡もスムーズなった。尚、網を有し魚雷に絡み付いて爆発する機雷であって、 該機雷は網に取着され固着していており、 該網に備え付けられた機雷はスクリューを利用して網を開くき、該前記網を収容するケースを備え、前記ケースは水中に射出された後、開いて、収容している前記網を水中に解き放つても良い。  尚、前記タイマー、推進装置、スクリュー 、ソナー、低周波発生装置、電磁波発生装置、その他の記述された機器は、コンピューター、若しくは、電子計算機が内蔵された場合は、コンピューター、若しくは、電子計算機により管理される。  しかし、コンピューター、若しくは電子計算機が内蔵されて以内場合は前記の機器はそれぞれ連結され、アナログ的に作動する仕組みに作られている。
【００１８】
そして、本発明は、網と、前記網に取り付けられた複数の機雷と、前記網に取り付けられ、水の流れを生じ推進力を発生させる推進力発生手段と移動の方向を転換する方向転換手段とを有し水中を自由な方向に移動する複数の移動装置とを備える魚雷防御システムを提案する。又、網を有し魚雷に絡み付いて爆発する機雷であって、 該機雷は網に取着され固着していており、 該網に備え付けられた機雷はスクリューを利用して網を開くき、 該機雷は速度感知装置を内蔵し、  該複数の機雷が網に取着され固着しており、 
互いに引き合う磁力により連結されて収容空間を形成する複数のパーツを有し、前記収容空間に、網を有し魚雷に絡み付いて爆発する機雷であって、 該機雷は網に取着され固着していており、 該網に備え付けられた機雷はスクリューを利用して開く網を収容するケースと、前記収容空間に前記網と、前記複数の機雷と、前記網に備え付けられた機雷はスクリューを利用して網を開くものを収容した状態の前記ケースが水中に射出された後、前記複数のパーツを連結している磁力の極性を切り替えて、互いに反発し合う磁力により前記複数のパーツを分離させるスイッチとを備え、前記ケースは、前記スイッチによる極性の切り替えに伴い、開いて、収容している前記網と、前記複数の機雷と、前記網に備え付けられた機雷はスクリューを利用して網を開くものを水中に解き放つ魚雷防御システムを提案する。
【００１９】
そして上記魚雷防御システムにおいて、前記網と、前記複数の機雷と、前記複数の移動装置とを収容するケースを備え、前記ケースは水中に射出された後、開いて、収容している前記網と、前記複数の機雷と、前記複数の移動装置とを水中に解き放つ、という構成が態様として採用されてもよい。 この態様に係る魚雷防御システムによれば、魚雷を爆破するための機雷を、魚雷の捕捉位置に速やかに移動させることができる。ここでいう移動装置とは、スクリュー、若しくは、推進装置の事である。機雷は網に取着され固着していており、 網に備え付けられた機雷は水面下でスクリュー、又は、推進装置を利用して移動、若しくは、開く事を特徴とした機雷をケース２１に収納された機雷を提案する。  
尚、前記ケースとは前記網を収納可能な空間を持つミサイル、ロケットをも含む。
【発明の効果】
【００２０】
本発明により魚雷攻撃から船舶を守る事が出来た。
【図面の簡単な説明】
【００２１】
【図１】本発明を側方から見た図である。
【図２】本発明の断面図である。
【図３】本発明の網が絡んだ図である。
【図４】本発明の入射角の図である。
【図５】本発明の変形例に係る射出装置と、射出装置に装填されたケースの外観を模式的に示した図。
【図６】本発明の変形例に係るケースの外観を示した図。
【図７】本発明の変形例に係るケースを構成する第１パーツと第２パーツの外観を              示した図。
【図８】本発明の変形例に係るケースが射出装置から射出された後、収容している魚雷捕捉装置を水中に解き放つ様子を示した図。
【発明を実施するための最良の形態】
【００２２】
本発明による魚雷防御システムを図１乃至図４を参照しつつ詳細に説明する。
【００２３】
図１は本発本発明の網に備え付けられた機雷３を開き、機雷２を備えた図である。
【００２４】
網１に備え付けられた（取着され固着された）機雷２はそれぞれ間隔を有している。
【００２５】
横に並ぶ網１に備え付けた機雷２ａ、機雷２ｃは重力線方向に対して横に位置させるために、機雷２ａと機雷２ｂの比重は同じにしている。
【００２６】
又、網１に備え付けられた機雷２ａ、機雷２ｂはそれを開いた場合、重力線方向に縦に位置しており、それを簡単に実現させるために、機雷２ｂは、機雷２ａより比重を大きくしている。
【００２７】
図説しないが、重力方向に縦軸に並ぶ機雷２は、比重が上に位置するほど、小さくする。例えば機雷２ａを最上部としてその下に機雷２ｂ、機雷２ｂの下に機雷２ｋ、機雷２ｋの下に機雷２ｎと縦軸方向の下に行くほど比重を大きくする。網１に備え付けられた機雷２は、比重は下に行くほど大きくする（比重、機雷２ａ＜機雷２ｂ＜機雷２ｋ＜機雷２ｎ）
【００２８】
尚、機雷２は機雷を総称しており、機雷２ａ、２ｂ、２ｃ、２ｄ、２ｋ、２ｎ等は、図面上説明し易いようにアルファベットを付けた。
【００２９】
機雷２ａ、２ｂ、２ｃ、２ｄのそれぞれの距離は２０ｃｍ以上５００ｃｍ以内が望ましい。  又、図説しないが機雷２が図に示す４個より多い、５個以上の場合も同様とする。尚、図説では機雷２は４個しか付いていないが９個着けて開けば防御範囲を広める事が出来、１６個着けて開けばさらに防御範囲が広まる。
【００３０】
図２は機雷２の断面図で、アンテナ１１、魚雷感知用ソナー１２、爆薬１３、電池１４、位置保持システム（機雷の位置を保持、移動するためのシステムであり、目的の位置に推進する為の手段を搭載している。推進手段には、モータ稼働のスクリューを含む）１５、機雷対機雷通信システム（機雷同士が各々の位置等を感知し合う電磁波による通信システム）１６、速度感知装置（スピードセンサー）１７、中央制御部１８、電池１９、水深計２０であり、各装置、機関はそれぞれが連絡し感知しあい目的に沿った働きをする。
【００３１】
尚、機雷２に内蔵された各々の部品、及び、システムは、電子計算機、若しくは、コンピューターにより制御される中央制御部１８より連絡しあい制御され、網が魚雷を絡む様に制御され、絡んだ際に爆発し破壊する。  例えば、魚雷感知用ソナー１２で目的の魚雷進行、水深を予測してを予測し位置保持システム１５のスクリュー、又は、推進装置等を利用してその目的の場所に移動する。又、図説しないが、機雷はタイマーを備え付け内蔵させる。
【００３２】
そして、各機雷２は各々（図１では、機雷２ａ、機雷２ｂ、機雷２ｃ、機雷２ｄ）の機雷対機雷通信システムに内蔵された低周波通信システムにより通信しあい、その情報を基に位置保持システムは機雷の外側に備えられたスクリューの稼働により網が開く様に動く。
【００３３】
尚、図説されないスクリューは、機雷２の各々の位置を保持、移動させるために水流方向を自由自在に変える事が出来る。
【００３４】
そして、機雷内の装置、部品は防水装備された機雷２により保護されている。
【００３５】
尚、その他の書かれていない機雷に必要な構造は、従来の機雷構造と同じである。例えば機雷に船、魚雷が接触した場合に爆発する仕組みなど。   
【００３６】
この構造により魚雷感知用ソナーにより魚雷４を感知した情報と、機雷２のそれぞれの位置を位置感知用ソナーによる情報をを基にして、スクリューを備えた位置保持システムによりそれぞれの機雷２ａ、２ｂ、２ｃ(図１）を位置づける。
【００３７】
図３は、実際に魚雷４に対して絡む機雷２が装備された網（魚雷防御システム）が絡み付いた図である。
【００３８】
機雷２は、内装された速度感知装置１７により魚雷に絡み付いた場合、機雷２のスピードが上がりそれを感知して自爆発する様に作られている。
【００３９】
この事により魚雷４を破壊する。この図３は、機雷２を横に５個×縦に５個で２５個を備え付けた網に備え付けられた機雷３を用いている。
【００４０】
尚、機雷２の爆薬量は１個でも魚雷４を破壊出来る量を内蔵されている。
【００４１】
機雷２のスピードセンサーの感知は１５ノット以上に設定し起爆装置に発動させる事により、より確実に魚雷を破壊出来る。
【００４２】
図４は魚雷４が網１に絡む前の図である。
【００４３】
魚雷４の進行方向５に対して、網１に対する入射角６は直角である９０度が理想だが、少なくても３０度以上が必要なために、機雷２のシステムを利用して、この範囲内にシステムをセットするが、なるべく理想の９０度に近づける様にセットする。
【００４４】
上記した実施形態においては、本発明の網に備え付けられた機雷３を弾丸形状のケース２１に収納して射出装置２６から射出される。
複数の移動装置１２の各々が射出装置２６から射出される。これに代えて、複数の本発明の網に備え付けられた機雷３を弾丸形状のケース２１に収容し、本発明の網に備え付けられた機雷３をケース２１に収納してを収容したケース２１を射出装置が射出してもよい。
【００４５】
図５は、この変形例に係る射出装置２６と、射出装置２６の射出筒内に装填されたケース２１の外観を模式的に示した図である。
【００４６】
射出装置２６は、バネや圧搾空気などの力により、本発明の網に備え付けられた機雷３を収容したケース２１を水中に射出する。  尚、前記ケース２１とは本発明の網に備え付けられた機雷３を収納可能な空間を持つミサイル、ロケットをも含む。
【００４７】
図６は、ケース２１の外観を示した図である。ケース２１は、全体として弾丸形状をしている。ケース２１は、分離可能な第１パーツ２１１と第２パーツ２１２を備える。
【００４８】
図７は、第１パーツ２１１と第２パーツ２１２の外観を示した図である。第１パーツ２１１と第２パーツ２１２は、各々、弾丸を２つに切断した形状をしており、内側に網に備え付けられた機雷３を収容するための空間を有する。
【００４９】
第１パーツ２１１が第２パーツ２１２と接する面である面Ｓ１の上には、複数の凸部２１１１が設けられている。また、第２パーツ２１２が第１パーツ２１１と接する面である面Ｓ２の上には、複数の凹部２１２１が設けられている。第１パーツ２１１と第２パーツ２１２が連結されるとき、凸部２１１１が凹部２１２１に填まり込み、第１パーツ２１１と第２パーツ２１２の位置決めを行う。
【００５０】
第１パーツ２１１の基部２１１２には、バッテリと電磁石が収容されている。基部２１１２に収容されている電磁石は、バッテリから供給される電力により磁力を発生し、第１パーツ２１１の面Ｓ１に配置されている磁性体（例えば、鉄）をＳ極に帯磁させる。
【００５１】
第２パーツ２１２の基部２１２２には、バッテリと、電磁石と、加速度センサと、タイマと、スイッチが収容されている。基部２１２２に収容されている電磁石は、バッテリから供給される電力により磁力を発生し、第２パーツ２１２の面Ｓ２に配置されている磁性体（例えば、鉄）をＮ極又はＳ極に帯磁させる。
【００５２】
加速度センサは、ケース２１が射出装置２６から射出される時に生じる所定の閾値以上の加速度を検知すると、タイマに信号を出力する。タイマは、加速度センサから信号を受け取った時点からの経過時間を測定し、所定時間（例えば、５秒）が経過すると、スイッチに信号を出力する。スイッチは、タイマから信号を受け取ると、電磁石が発生する磁力の極性を切り替える。
【００５３】
第２パーツ２１２の基部２１２２に収容されている電磁石は、ケース２１が射出装置２６に装填されている時には、面Ｓ２に配置されている磁性体をＮ極に帯磁させる。従って、第１パーツ２１１の面Ｓ１と第２パーツ２１２の面Ｓ２は磁力により互いに引き合い、連結されている。
【００５４】
射出装置２６からケース２１が射出された後、所定時間が経過すると、第２パーツ２１２の基部２１２２に収容されているスイッチにより電磁石が発生する磁力の極性が切り替えられ、面Ｓ２に配置されている磁性体はＳ極に帯磁される。その結果、第１パーツ２１１の面Ｓ１と第２パーツ２１２の面Ｓ２は磁力により互いに反発し合い、第１パーツ２１１と第２パーツ２１２が分離する。
【００５５】
図８は、ケース２１が射出装置２６から射出された後、収容している本発明の網に備え付けられた機雷３を水中に解き放つ様子を示した図である。なお、図８では本発明の網に備え付けられた機雷３の一部を省略している。射出装置２６からケース２１が射出された後、所定時間が経過すると、第１パーツ２１１と第２パーツ２１２が分離し、ケース２１に収容されていた網に備え付けられた機雷３が水中に解き放たれる。水中に解き放たれた本発明の網に備え付けられた機雷３は水中で拡がり、魚雷の捕捉に備える。
【００５６】
この変形例において、第１パーツと第２パーツの連結及び連結の解除が、磁力以外を用いて行われてもよい。例えば、電動のアクチュエータにより、第１パーツと第２パーツの連結及び連結の解除が行われてもよい。また、ケース２１を構成するパーツの数は２つに限られない。例えば、ケース２１が３以上のパーツで構成され、それらのパーツが射出後に分離してもよい。
【００５７】
この変形例によれば、魚雷を爆破するための機雷を、魚雷の捕捉位置に速やかに移動させることができる。
【００５８】
尚、前記タイマー、推進装置、スクリュー 、ソナー、低周波発生装置、電磁波発生装置、その他の記述された機器は、コンピューター、若しくは、電子計算機が内蔵された場合は、コンピューター、若しくは、電子計算機により管理される。  しかし、コンピューター、若しくは電子計算機が内蔵されて以内場合は前記の機器はそれぞれ連結され、アナログ的に作動する仕組みに作られている。
【００５９】
前記構造により、魚雷から船舶を守る事が出来た。
【符号の説明】
【００６０】
１…網、２…機雷、３…本発明の網に備え付けられた機雷、２１…ケース、２６…射出装置、２１１…第１パーツ、２１２…第２パーツ、２１１１…凸部、２１１２…基部、２１２１…凹部、２１２２…基部。
【図１】
0006968488.tif 000002
【図２】
0006968488.tif 000003
【図３】
0006968488.tif 000004
【図４】
0006968488.tif 000005
【図５】
0006968488.tif 000006
【図６】
0006968488.tif 000007
【図７】
0006968488.tif 000008
【図８】
0006968488.tif 000009